(57)【要約】【課題】紙帯接着手段である押圧部の温度を一定温度に安定させたとしても、装置のおかれる環境温度に影響されて低い場合に、紙帯の接着力が弱いものが発生する。  【解決手段】集積した紙葉類に結束用の紙帯をかけ渡して切断手段により切断した紙帯の一端をもう一方の端部に加熱接着させて結束する紙葉類施封方法において、収納部９７から繰り出されて走行する紙帯の走行路中に設けた紙帯加温部１０４によって紙帯を予め加温する。【選択図】図２
2010023878.tif 000002
【特許請求の範囲】
【請求項１】
集積した紙葉類に結束用の紙帯をかけ渡して切断手段により切断した紙帯の一端をもう一方の端部に加熱接着させて結束する紙葉類施封方法において、
収納部から繰り出されて走行する紙帯の走行路中に配置した紙帯加温部によって紙帯を予め加温することを特徴とする紙葉類施封方法。
【請求項２】
集積した紙葉類に結束用の紙帯をかけ渡して結束する結束部と、結束部でかけ渡した紙帯を切断する切断部と、切断した紙帯の一端をもう一方の端部に加熱接着させる接着部を有する紙葉類施封装置において、
紙帯の収納部から繰り出されて走行する紙帯の走行路中に紙帯を予め加温する紙帯加温部を設けたことを特徴とする紙葉類施封装置。
【請求項３】
集積した紙葉類に結束用の紙帯をかけ渡して結束する結束部と、結束部でかけ渡した紙帯を切断する切断部と、切断した紙帯の一端をもう一方の端部に加熱接着させる接着部を有する紙葉類施封装置において、
紙帯の収納部から繰り出されて走行する紙帯の走行路を前記接着部の熱源の近傍を通して紙帯を予め加温するようにしたことを特徴とする紙葉類施封装置。
【請求項４】
請求項３において、紙帯の走行案内ローラを熱源の近傍に配置したことを特徴とする紙葉類施封装置。
【発明の詳細な説明】
【技術分野】
【０００１】
本発明は、金融機関において使用される紙幣計数整理機のうちの紙幣等の紙葉類を紙帯で結束する施封方法およびその施封装置に関する。
【背景技術】
【０００２】
従来の紙葉類の束を紙帯で結束する施封装置である紙幣施封装置では、１００枚集積した集積紙幣を受け取る受取部を有し、この受取部で受け取った集積紙幣を搬送して紙帯で結束する。集積紙幣葉の搬送は、キャリアによって行われ、キャリアは受取部と結束部との間で往復移動する。結束部で結束された施封束は、受け渡し機構を介して別の搬送部に搬送される。
【０００３】
また、結束部には結束帯としての紙帯を繰り出す繰出しローラおよびこの繰り出された結束帯をつかむテープキャッチが設けられ、このテープキャッチをキャリアが結束部に移動するのに同期させてキャリア上の集積紙幣のまわりに沿って移動させることにより紙帯を巻き付けるようになっている。
そして、集積紙幣に紙帯を巻き付けた後は、繰出しローラを逆回転させて紙帯を引き戻すことにより、紙帯の弛みを除去する。この紙帯の引き戻し時において、紙帯がトルクリミッタにより設定力以上引き戻せなくなると、紙帯に対して繰り出しローラがスリップする。このスリップを検知することにより、帯締めが完了したものと判断される。
【０００４】
紙帯の締め付けが完了した後は、紙帯が切断手段により切断され、この切断された紙帯の端部を集積紙幣にかけ渡された紙帯のもう一方の端部に接着手段の加熱部に押し付けて加熱することにより接着する。
この加熱部は、紙帯に接触する押圧部、この押圧部を加熱するヒータ、温度を検出する温度検出素子、温度異常時の保護素子から構成されている。
【０００５】
加熱部の温度については、温度検出素子より検出される温度情報を制御装置にて監視し、常時、紙帯の接着に最適な温度を保っている。（例えば、特許文献１参照）。
【特許文献１】特開平２０００−１９０９１３公報
【発明の開示】
【発明が解決しようとする課題】
【０００６】
しかしながら、上述した従来の技術においては、紙帯接着手段である押圧部の温度を一定温度に安定させたとしても、装置のおかれる環境温度に影響されて低い場合（例えば０°Ｃ）に、紙帯の接着力が弱いものが発生する。
これは、紙帯表面に塗布されている糊が十分に溶けず、接着力が弱いためである。
本発明は、このような問題を解決することを課題とする。
【課題を解決するための手段】
【０００７】
そのために、本発明は、集積した紙葉類に結束用の紙帯をかけ渡して切断手段により切断した紙帯の一端をもう一方の端部に加熱接着させて結束する紙葉類施封方法において、収納部から繰り出されて走行する紙帯の走行路中に設けた紙帯加温部によって紙帯を予め加温することを特徴とする。
そこで、装置として、集積した紙葉類に結束用の紙帯をかけ渡す結束部と、結束部でかけ渡した紙帯を切断する切断部と、切断した紙帯の一端をもう一方の端部に加熱接着させる接着部を有する紙葉類施封装置において、紙帯の収納部から繰り出されて走行する紙帯の走行路中に紙帯を予め加温する紙帯加温部を設けたことを特徴とする。
【０００８】
また、上記と異なる施封装置として、集積した紙葉類に結束用の紙帯をかけ渡す結束部と、結束部でかけ渡した紙帯を切断する切断部と、切断した紙帯の一端をもう一方の端部に加熱接着させる接着部を有する紙葉類施封装置において、紙帯の収納部から繰り出されて走行する紙帯の走行路を前記接着部の熱源の近傍を通して紙帯を予め加温するようにしたことを特徴とする。
【発明の効果】
【０００９】
このようにした本発明は、装置環境温度が低い場合においても、紙帯が予め加温されているために、接着部で切断端部を接着した時に確実に接着させることができるという効果が得られる。
【発明を実施するための最良の形態】
【００１０】
以下、図面を参照して本発明の実施例を説明する。
【実施例１】
【００１１】
図１は本願発明にかかわる紙幣計数整理機の概略説明図、図２は実施例１の概略構成図である。
図１において、１は、紙幣の投入部であり、装置正面の上部に設けられている。２は、紙幣の真偽、金種、正損、表裏等の鑑別および計数を行うと共に重送等の搬送異常の検出を行う鑑別部であり、装置内に設けられている。
【００１２】
３は、各部に紙幣を搬送する搬送路、４は、紙幣の表裏反転部であり、装置内の上記鑑別部２の後方に位置するように設けられている。
５ａ、５ｂは、結束対象以外の金種の紙幣を集積するオープンポケットであり、装置の上面に設けられている。このオープンポケット５に集積された紙幣は、操作者が直接取り出すことができるようになっている。
【００１３】
６は、上記鑑別部２によって金種不明と判断されたり重送等の搬送異常が検出されたリジェクト紙幣を集積するリジェクトボックスである。このリジェクトボックス６に集積された紙幣は、操作者が直接取り出すことができるようになっている。
７は、集積機構であり、縦一列に一時集積部７ａ〜７ｅが並べられ、装置内に設けられている。これらの一時集積部７ａ〜７ｅには、それぞれ予め設定された一定枚数の紙幣が集積できるようになっている。一時集積部７ａ〜７ｅには、各々に集積した紙幣の短辺、長辺をそろえる整位機構が設けられており、１枚搬送される毎に整位動作を行う。
【００１４】
８は、各一時集積部７ａ〜７ｅに集積された一定枚数の紙幣を一括して引き抜き、これを搬送する移送機構であり、後述の結束装置に一括して紙幣を引き渡すことができるようになっている。
９は、紙帯で結束する施封装置であり、紙帯等の結束材で集積紙幣を結束して紙幣束を作成することができるようになっている。１０は、この施封装置９で結束された紙幣束を排出する放出口である。
【００１５】
１１は、タッチパネル等の入力機構を設けた操作表示部である。１２は、装置内部の放熱を行うファン、１６は、制御部であり、装置全体の制御を行う。
図２は施封装置９を示す構成図である。
施封装置９の装置本体９１内には、図示しないハンド部より供給された集積紙葉類とし
ての集積紙幣Ｓを受け取る受取部９２と、この受取部９２に受け取られた集積紙幣Ｓを搬送する上下部の搬送ベルト１１５，１１６からなる搬送手段としての搬送部９３とが設けられている。
【００１６】
また、装置本体９１内には搬送部９３により搬送されてくる集積紙幣Ｓを結束する結束手段としての結束部９４が設けられている。
結束部９４は、結束帯としての紙帯９６を収納する収納部９７、この収納部９７から紙帯９６を繰り出す繰出部９８、この繰出部９８により繰り出された紙帯９６を搬送部９３の搬送路９３ａを遮るように上方へ引き上げるキャッチ９５と、紙帯９６をカットする切断手段としての切断部９９と、集積紙幣Ｓに巻き付けられた紙帯９６を加熱接着する接着手段としての接着部１００とからなる。
【００１７】
さらに、装置本体９１内には繰り出される紙帯９６に任意の情報（日付、オペレータ番号、通番等）を印字するプリンタ１０１および集積紙幣Ｓに結束された紙帯９６に客先名等を押印する客先名スタンプ１０２、損券を押印する損券スタンプ１０３が配設されている。
１０４は紙帯加温部であり、紙帯９６の走行路中の任意の箇所に設けてあり、本実施例ではヒータを用いたがヒータに限るものではなく、温風ファン等の加温することができる適宜な手段でよい。
【００１８】
図３は上記した集積紙幣Ｓの受取部９２を示すものである。
この受取部９２は搬送部９３の上下部の搬送ベルト１１５，１１６の一端部によって構成されている。上部側の搬送ベルト１１５の一端側には開閉部としての開閉ベルト部１１５ａが設けられ、ハンド部から集積紙幣Ｓが送られてくるときは、開閉ベルト部１１５ａが開放されて集積紙幣Ｓが下部側の搬送ベルト１１６上に載置される。この載置後、開閉ベルト部１１５ａが閉塞されて集積紙幣Ｓが搬送される。
【００１９】
ところで、集積紙幣Ｓは上下部の搬送ベルト１１５，１１６により挟持搬送されるため、結束部９４での整位は搬送ベルト１１５，１１６の抵抗力があり、不可能である。このため、集積紙幣Ｓは搬送ベルト１１５，１１６により挟持される前に、１枚１枚のズレが整位される必要があり、なおかつ、小束は集積紙幣Ｓの端面から紙帯９６の位置までの距離に規格があるため、集積紙幣全体の基準面が揃っていなければならない。
【００２０】
そこで、この受取部９２には、図４〜図６に示すように、集積紙幣Ｓを整位するための整位機構１１８が設けられている。即ち、受取部９２の一端側には集積紙幣Ｓの一端面に沿う整位基準板１１９が設けられている。整位基準板１１９は支軸１２０により回動自在に支持され、下部側にはバネ材１２２が接続され、このバネ材１２２により垂直状態になるように付勢されている。また、受取部９２の他側には整位基準板１１９に離間対向する押圧部材としての整位板１２３が設けられている。
【００２１】
受取部９２に受け取られた集積紙幣Ｓを整位する場合には、ベルト開閉部１０５ａが開放された状態で、図４および図６に矢印で示すように整位板１２３が回動され、集積紙幣Ｓを押圧してその端面を整位基準板１１９に押し付けることにより集積紙幣Ｓの長手方向を整位する。
この整位後、図５に示すように、ベルト開閉部９３ａが閉塞されて集積紙幣Ｓが搬送されるが、このときには、ベルト開閉部９３ａにより整位基準板１１９がバネ材１２２の付勢力に抗して外方に回動されて集積紙幣Ｓの端面から離間される。
【００２２】
従って、集積紙幣Ｓの搬送時に整位基準板１１９に紙幣端面が接触することがなく、摩擦力による紙幣のズレをなくすことができるようになっている。
なお、集積紙幣Ｓが搬送された後は、再び、ベルト開閉部９３ａが開放され、バネ材１２２の付勢力により、整位基準板１１９は支軸１２０を中心に回動し初期基準位置に復帰する。
【００２３】
図７は搬送部９３の中途部に設けられる整位手段としての短手整位ストッパ１３１を示すものである。
この短手整位ストッパ１３１は三角形状をなし、一端部が支軸１３２により回動自在に支持され、他端部はスプリング１３３により上方に付勢されている。
集積紙幣Ｓが搬送されてくると、短手整位ストッパ１３１は図８に示すように、集積紙幣Ｓにより押されて支軸１３２を中心にして下方へ回動されて搬送路９３から退避される。集積紙幣Ｓが図９に示すように、短手整位ストッパ１３１を通過すると、センサ１３４により検知され、スプリング１３３の付勢力により、上方へ回動されて復帰される。このように、センサ１３４により検知されて短手整位ストッパ１３１が復帰されたのち、図２に示す制御装置１０５により搬送ベルト１１５，１１６が逆方向に走行されて図１０に示すように集積紙幣Ｓが逆送りされて短手整位ストッパ１３１の垂直壁１３１ａに当接され集積紙幣Ｓの短手方向が整位される。整位された集積紙幣Ｓはセンサ１３５により検知されて集積紙幣Ｓが施封位置にきたことが認識される。
【００２４】
図１１は施封位置にきた集積紙幣Ｓに紙帯９６が掛け渡された状態を示すものである。
集積紙幣Ｓは搬送路９３に沿って搬送されることにより、搬送路９３を遮るように繰出され、予め紙帯加温部１０４で暖められている紙帯９６を搬送方向に沿って押し込むことにより、その半周に亘って掛け渡される。
図１２、図１３は結束部９４に設けられるクランパ部１３５を示すものである。
【００２５】
このクランパ部１３５の全体は図示しない支持機構により上下動自在に支持されている。クランパ部１３５は駆動モータ１４４によって回動される駆動アーム１３６を備え、この駆動アーム１３６の回動端側には第１および第２のピン体１３６ａ，１３６ｂが突設されている。
また、駆動アーム１３６には押圧板１３７が離間対向して設けられ、この押圧板１３７の両端部には垂直方向に沿うガイド孔１３７ａ，１３７ａが穿設され、中央部には水平方向に沿うガイド孔１３７ｂが穿設されている。駆動アーム１３６の第１のピン体１３６ａは押圧板１３７の水平なガイド孔１３７ｂ内に挿入されている。
【００２６】
また、押圧板１３７には引張バネ１３９を介してクランパ１４０が支持されている。さらに、押圧板１３７には支軸１４５を介して回動自在に上レバー１４２が取付けられ、この上レバー１４２の一端側には集積紙幣Ｓに掛け渡された紙帯９６を集積紙幣Ｓの端面に沿って垂直に折り曲げるための第１の案内手段としての上スプーン１４３が取付けられている。上レバー１４２の他端側は駆動アーム１３６の回動時にその第２のピン体１３６ｂによって押し上げられるようになっている。
【００２７】
クランパ１４０の両側部にはピン体１４０ａ，１４０ａが突設され、これらピン体１４０ａ，１４０ａは押圧板１３７の垂直ガイド孔１３７ａ，１３７ａ内に挿入されてガイドされる。
図１４から図１６は結束部９４に送られてきた集積紙幣Ｓのクランプ動作を示すものである。
【００２８】
集積紙幣Ｓが図１４に示すように、結束部９４に送られてくると、駆動モータ１４４が回転し、図１５に示すように，駆動アーム１３６の第１のピン体１３６ａが押圧板１３７の水平ガイド孔１３７ａに沿って下方に回動する。これにより、押圧板１３７が押し下げられるとともに、クランパ１４０が引張バネ１３９を介して下降し、集積紙幣Ｓを押圧する。このとき、クランパ１４０は集積紙幣Ｓの厚さに応じて変位する（押圧力はほぼ一定）。そして、駆動アーム１３６が図１６に示すように、さらに、回動するとその第２のピン体１３６ｂにより上レバー１４２の他端部が押し上げられる。これにより、上レバー１４２が時計方向に回動し、上スプーン１４３が下方に移動して紙帯９６を集積紙幣Ｓの端面に沿って折り曲げる。
【００２９】
なお、図１７は厚さの大きい集積紙幣Ｓをクランプした状態を示すもので、上スプーン１４３はクランパ１４０の下降停止位置に関係なく、一定の位置まで押し上げられる。従って、集積紙幣Ｓの厚さに関係なく、確実に紙帯９６を下方に折り曲げることができるようになっている。
図１８は紙帯９６を水平方向に折り曲げて接着面に押え込む第２の案内手段としての下スプーン１４７及びその駆動機構１４８を示すものである。
【００３０】
下スプーン１４７はラック１４８の先端部に取付けられ、ラック１４８には第１乃至第３の従動ギヤ１４９ａ〜１４９ｃを介して駆動モータ１５１の駆動ギヤ１５２が接続されている。
紙帯９６を水平方向に折り曲げる場合には、駆動モータ１５１の駆動ギヤ１５２が回転され、第１〜第３の従動ギヤ１４９〜１４９ｃを介してラック１４８が前進される。これにより、図１９に示すように下スプーン１４７が前進されて紙帯９６を水平方向に押し込んで折り曲げ保持する。
【００３１】
図２０は帯繰出部９８に設けられる動力遮断手段としてのトルクリミッタ１５７を示すものである。
ドライブローラ１５６にはトルクリミッタ１５７を介して駆動手段としての駆動モータ１５８の駆動ギヤ１５９が接続されている。
トルクリミッタ１５７は紙帯９６を巻き戻したときに生じる帯締め力を安定かつ一定にするために設定値以上のトルクが加わった場合、それ以上のトルクの伝達を遮断するためのものである。
【００３２】
紙帯９６はドライブローラ１５６とアイドルローラ１６０の間に挟持され、駆動モータ１５８の回転により、駆動ギヤ１５９及びトルクリミッタ１５７を介してドライブローラ１５６が矢印ａ方向に回転されることにより繰出されて集積紙幣Ｓに巻き付けられる。
このように、集積紙幣Ｓに紙帯９６が巻き付けられた後は、余分な紙帯９６を巻き戻すために駆動モータ１５８が制御装置１５５により逆回転される。これにより、駆動ギヤ１５９、トルクリミッタ１５７を介してドライブローラ１５６が図２１に示すように、矢印ｂ方向に逆回転される。この逆回転により、余分な紙帯９６が巻き戻され、紙帯９６にテンションがかけられる。そして、適正な締め付け力がかかると、トルクリミッタ１５７が作用し、駆動モータ１５８からの動力を遮断する。駆動モータ１５８の動力が遮断されることにより、ドライブローラ１５６の回転が停止する。
【００３３】
したがって、従来のようにドライブローラ１５６を空回りさせてしまうことがなくドライブローラ１５６の摩耗を低減させることができる。
また、トルクリミッタ１５７の設定値に達した時点で、締め付け力が決定するため、紙帯９６の材質、ドライブローラ１５６の表面の摩擦力、アイドルローラ１５７の押圧力のバラツキ等に影響を受けることなく、一定の締め付け力を得ることができる。
【００３４】
なお、トルクリミッタ１５７の設定値を変更することで、多様な締め付け力に対応できる。
図２２は紙帯９６を接着する接着部１００を示すものである。
この接着部１００は熱源であるヒータ１６８と、このヒータ１６８に接触して加熱される押圧部１６９と、この押圧部１６９をヒータ１６８と集積紙幣Ｓに巻き付けられた紙帯９６の接着面との間で移動させる操作レバー１７０とからなる。
【００３５】
集積紙幣Ｓに巻き付けられた紙帯加温部１０４で加温されている紙帯（紙帯には接着剤が塗布され、加熱されることにより溶融して接着するようになっている）９６を接着する場合には、熱源であるヒータ１６８を発熱させて押圧部１６９を加熱させたのち、操作バー１７０を回動させる。これにより、押圧部１６９が紙帯９６に向って移動され、カッタ９９によりカットされた予め紙帯加温部１０４で加温されている紙帯９６の端部を押し上げるとともに、これを下スプーン１４７により水平に折り曲げられて保持された紙帯９６のもう一方の端部に押し付けて加熱し紙帯９６を確実に接着する。
【００３６】
このように、熱源のヒータ１６８と押圧部１６９を分離するため、押圧部１６９はヒータ１６８から離れた後は徐々に放熱して冷却される。従って、紙帯９６を加熱し過ぎることがなく、良好に接着することができる。また、予め紙帯加温部１０４で加温してあることにより、低温環境時にも確実に接着させることができる。
なお、施封動作が行われない待機状態では、紙帯９６は、繰出部９８により収納部９７に戻されるために紙帯が不要に温められることはない。
【００３７】
図２３は押印手段としてのスタンプ部１６１を示すものである。
スタンプ部１６１はクランパ１４０内に設けられ、その押印部１６２はバランスバネ１６３を介してソレノイド１６４に取り付けられている。クランパ１４０の下部側には、押印部１６２の押印面１６２ａを覆うようにガードするカバー手段としての帯ガイド１６５が設けられている。
【００３８】
帯締め付け前の紙帯９６は浮き上がった状態にあるため、押印部１６２の押印面１６２ａに接触しようとするが、帯ガイド１６５にガードされて押印面１６２ａに接触することがない。
紙帯９６が図２４に示すように締め付けられた後は、図２５に示すように、ソレノイド１６４がＯＮされて、押印部１６２が帯ガイド１６５を押しのけながら、紙帯９６の上に押し付けられ客先名が押印される。
【００３９】
次に、施封装置９の施封動作を図２６から図３２を参照して説明する。
まず、図２６に示すように、ベルト開閉部９３ａが上方へ回動され、下部搬送ベルト１１６上にハンド部から送られてくる集積紙幣Ｓが受け渡される。しかるのち、長手整位板１２３が基準壁１１９に向って移動し、集積紙幣Ｓを基準壁１１９に押し付けてその長手方向を整位する。ついで、紙帯９６がプリンタ１０１によって任意の情報（日付、オペレータ番号、通番等）が印字されながらフィードされ、先端がキャッチ１１３で保持される。保持された紙帯９６はさらにフィードされると同時に図２７に示すように、キャッチ１１３も上方に移動されて紙帯９６が搬送路９３を遮るように待機する。
【００４０】
集積紙幣Ｓが整位されると、ベルト開閉部１１５ａが下方に回動されて閉じられ、上下の搬送ベルト１１５，１１６が走行される。これにより、集積紙幣Ｓは上下の搬送ベルト１１５，１１６により挟持搬送され、センサ１３４により検出されると停止される。この集積紙幣Ｓの搬送時には、図２８に示すように、紙帯９６が集積紙幣Ｓの搬送と同期してドライブローラ１５６の回転によりさらに繰り出される。また、集積紙幣Ｓの搬送時には、集積紙幣Ｓにより短手整位ストッパ１３１が押されてスプリング１３３の付勢力に抗して一旦、搬送路９３から退避され、集積紙幣Ｓが通過するとスプリング１３３の付勢力により上昇して搬送路９３上に復帰される。
【００４１】
そして、センサ１３５により集積紙幣Ｓが検知されると、搬送ベルト１１５，１１６
が制御手段１３４の制御により逆方向に走行され、整位ストッパ１３１に当接するまで送られる。この位置はセンサ１３４で検知され集積紙幣Ｓが施封位置にきたことが認識されて搬送が停止される。
次に、集積紙幣Ｓはクランパ１４０によって押さえられ、さらにクランパ１４０に付
属の上スプーン１４３が図２９に示すように、下降して紙帯９６を下方に折り曲げるとともに紙幣の側面に当て、ついで、キャッチ１１３が紙帯９６を離す。しかるのち、下スプーン１４７が図３０に示すように、横方向にスライドし紙帯９６の端部を接着面に押さえ込む。この後、図３１に示すようにドライブローラ１５６が逆転して、余分な紙帯９６を巻き取り紙帯９６の絞りが完了する。
【００４２】
そして、接着部１００の操作レバー１７０が図３２に示すように回動してその押圧部１６９が上昇して紙帯９６を押し上げるとともに、切断手段としての切断部９９が紙帯９６をカットする。カットされた紙帯９６の端部は押圧部１６９により下スプーン１４７が押さえている紙帯９６のもう一方の端部に押し付けられることにより、加熱されて接着される。この接着完了後、客先名スタンプ１６２や、損券スタンプ１７１が紙帯９６を押印し、この押印後、クランパ１４０は上方へ退避する。紙帯９６により結束された集積紙幣Ｓは小束となり、施封搬送部に送られて金庫に入金され、或いは、本体のシュート壁を開くことにより、機体外に放出される。
【実施例２】
【００４３】
本実施例は、実施例１の紙帯加温部１０４を設けるものではなく、接着部１００の熱源としてのヒータ１６８の熱を利用するものであり、紙帯９６の走行路をヒータ１６８の近傍を通るようにするものであり、例えば、図３３に示すごとく、ヒータ１６８の近傍に走行案内ローラ１８０を設け、その走行案内ローラ１８０によって紙帯９６がヒータ１６８の近くを走行することによってその熱源であるヒータ１６８の熱によって走行する紙帯９６を加温するものである。
【００４４】
なお、施封動作等は、上記実施例１と同じであるために説明は省略する。
この実施例によっても、接着部１００の熱源の熱を利用して予め紙帯９６を加温しておくことにより、低温環境時にも確実に接着させることができる。
施封動作が行われない待機状態では、紙帯９６は、繰出部９８により収納部９７に戻されるために紙帯が不要に温められることはない。
【図面の簡単な説明】
【００４５】
【図１】紙葉類施装置を有する紙幣計数整理機の概略説明図
【図２】実施例１の概略構成図
【図３】集積紙幣の受取部を示す正面図
【図４】集積紙幣の受取部を示す側面図
【図５】紙幣の受取部の開閉ベルト部が閉じた状態を示す説明図
【図６】受取部に受け取られた紙幣を整位する整位動作を示す説明図
【図７】集積紙幣の短手整位機構を示す説明図
【図８】短手整位機構の整位板が回動した状態の説明図
【図９】集積紙幣が整位板を通過し、整位板が初期位置に復帰した状態の説明図
【図１０】整位板を通過した紙幣が逆送りされて整位板に当接して整位した状態を示す説明図
【図１１】集積紙幣に紙帯がかけ渡された状態の説明図
【図１２】集積紙幣をクランプするクランパ装置の正面図
【図１３】クランパ装置の側面図
【図１４】クランパ装置が集積紙幣に向かって下降する状態の説明図
【図１５】集積紙幣がクランパ装置により押圧された状態の説明図
【図１６】集積紙幣にかけ渡らせた紙帯を折り曲げる上スプーンの動作の説明図
【図１７】厚さの厚い集積紙幣にかけ渡された紙帯を折り曲げる上スプーンの動作の説明図
【図１８】下スプーンの駆動機構を示す説明図
【図１９】下スプーンの動作を示す説明図
【図２０】紙帯の繰出し機構の説明図
【図２１】繰り出した紙帯の巻き戻しを示す説明図
【図２２】紙帯の接着動作を示す説明図
【図２３】押印面のカバーにより紙帯の接触が防止される状態の説明図
【図２４】紙帯が締め付けられた状態の説明図
【図２５】押印面が下降して紙帯に押圧された状態の説明図
【図２６】集積紙幣が受取部に受け渡された状態の説明図
【図２７】集積紙幣がキャッチャにより搬送路を遮るように送り込まれた状態の説明図
【図２８】集積紙幣に紙帯がかけ渡された状態の説明図
【図２９】上スプーンにより紙帯が折り曲げられた状態の説明図
【図３０】下スプーンにより紙帯が折り曲げられた状態の説明図
【図３１】紙帯が切断された状態の説明図
【図３２】紙帯が加熱接着された状態の説明図
【図３３】実施例２の概略構成図
【符号の説明】
【００４６】
Ｓ    集積紙幣
９１  装置本体
９２  受取部
９３  搬送部
９４  結束部
９６  紙帯
９７  収納部
９８  繰出部
９９  切断部
１００  接着部
１０１  プリンタ
１０４  紙帯加温部
１０５  制御装置
１１５  搬送ベルト    
１１５ａ  開閉ベルト部
１１６  搬送ベルト    
１１８  整位機構    
１１９  整位基準板    
１２３  整位板    
１３１  短手整位ストッパ        
１４３  上スプーン  
１４７  下スプーン  
１５５  制御装置  
１５７  トルクリミッタ  
１５８  駆動モータ  
１６８  ヒータ  
１６９  押圧部
１７０  操作レバー
１８０  走行案内ローラ
【図１】
2010023878.tif 000003
【図２】
2010023878.tif 000004
【図３】
2010023878.tif 000005
【図４】
2010023878.tif 000006
【図５】
2010023878.tif 000007
【図６】
2010023878.tif 000008
【図７】
2010023878.tif 000009
【図８】
2010023878.tif 000010
【図９】
2010023878.tif 000011
【図１０】
2010023878.tif 000012
【図１１】
2010023878.tif 000013
【図１２】
2010023878.tif 000014
【図１３】
2010023878.tif 000015
【図１４】
2010023878.tif 000016
【図１５】
2010023878.tif 000017
【図１６】
2010023878.tif 000018
【図１７】
2010023878.tif 000019
【図１８】
2010023878.tif 000020
【図１９】
2010023878.tif 000021
【図２０】
2010023878.tif 000022
【図２１】
2010023878.tif 000023
【図２２】
2010023878.tif 000024
【図２３】
2010023878.tif 000025
【図２４】
2010023878.tif 000026
【図２５】
2010023878.tif 000027
【図２６】
2010023878.tif 000028
【図２７】
2010023878.tif 000029
【図２８】
2010023878.tif 000030
【図２９】
2010023878.tif 000031
【図３０】
2010023878.tif 000032
【図３１】
2010023878.tif 000033
【図３２】
2010023878.tif 000034
【図３３】
2010023878.tif 000035